(57)【要約】  本発明は携帯機器用、特に携帯電話またはタブレットコンピュータ用の保護カバーに関し、該保護カバーは、保護要素（１４、１５）を備え、保護要素（１４、１５）は実質的に平坦であり、携帯機器の輪郭を跨いで延在する輪郭を有し、非剛性の周辺領域および弾性保持要素（２）、特にゴム材料から作成された弾性保持要素を有し、それぞれの保持要素（２）は実質的に線形形状であり、保持要素（２）は、携帯機器が保護カバーの中に導入されたときに、保持要素が携帯機器の隅部領域に斜めに横切って延在する方法で保護要素の接触側面上に配置され、それによって携帯機器を携帯機器の裏側で接触側面に固定する。【選択図】図２ｂ
2016538784.tif 000002
【特許請求の範囲】
【請求項１】
携帯機器、特に携帯電話またはタブレットコンピュータ用の保護カバーであって、前記保護カバーは、
保護要素（１４、１５）であって、前記保護要素（１４、１５）は実質的に平坦な形を備え、また前記保護要素（１４、１５）は前記携帯機器の輪郭を超えて突出する輪郭を備え、また前記保護要素（１４、１５）は可撓性の縁部を備える、保護要素（１４、１５）と、
弾性保持要素（２）、特にゴム材料から構成された弾性支持要素であって、前記弾性保持要素（２）はそれぞれが基本的に線形形状を有し、また前記保持要素（２）は、前記携帯機器が前記保護カバーの中に挿入された場合に前記携帯機器の隅部領域に斜めに架かる方法で、前記保護要素（１４、１５）の接触側面に配置され、したがって前記携帯機器を前記携帯機器の裏側で前記接触側面に固定する、弾性保持要素（２）とを備える、保護カバー。
【請求項２】
前記保護カバーは４つの保持要素（２）を備え、前記４つの保持要素（２）は携帯機器の前記４つの隅部領域に斜めに架かるために長方形の輪郭に配置される、請求項１に記載の保護カバー。
【請求項３】
前記保護要素（１４、１５）は正面部（１５）および背面部（１４）を備え、前記正面部（１５）および前記背面部（１４）を特に折り返し、折り畳み、かつ／または丸めることにより互いに対して動かすことができ、前記保護カバーが閉じた構成において、前記正面部（１５）および前記背面部（１４）は重ね合わせられ、前記携帯機器を挿入したとき前記正面部（１５）と前記背面部（１４）との間に挟まれた前記携帯機器を取り囲む、請求項１または２のいずれか１項に記載の保護カバー。
【請求項４】
前記正面部（１５）は前記閉じた構成から前記背面部（１４）に対して少なくとも約３６０度動くことができるので、前記正面部（１５）および前記背面部（１４）は少なくとも実質的に互いの上に平らに置かれることを特徴とする、請求項３に記載の保護カバー。
【請求項５】
前記保護カバーは前記保護カバーを閉じるためのロック装置（１６）、特にボタン、スナップファスナー、フック、紐、弾性帯、面ファスナーテープ、ジッパー、および／または磁石を備えたロック装置を備えることを特徴とする、請求項３または４に記載の保護カバー。
【請求項６】
前記保護要素（１４、１５）は外層（３）および内層（４）の形で一方が他方の上にある２つの層を備え、少なくとも縁部内の前記外層（３）および前記内層（４）の少なくとも１つは、可撓性の柔軟な材料、特にティッシュ、布、織物、または革から構成されることを特徴とする、請求項１〜５のいずれか１項に記載の保護カバー。
【請求項７】
前記保護要素（１４、１５）は前記外層（３）と前記内層（４）との間に、特に挿入され、組み込まれ、接着され、またはアイロンで付けられて配置された、寸法安定性のある中間層（５）を備えることを特徴とする、請求項６に記載の保護カバー。
【請求項８】
前記保護要素（１４、１５）は可撓性の中間層（６）を備え、前記可撓性の中間層（６）は特にフリース、綿、または発泡体から構成され、前記可撓性の中間層（６）は前記外層（３）と前記内層（４）との間に、特に挿入され、組み込まれ、接着され、またはアイロンで付けられて配置されることを特徴とする、請求項６または７に記載の保護カバー。
【請求項９】
保持要素（２）ならびに前記携帯機器の隅部領域は前記可撓性の縁部に割り当てられ、前記携帯機器を挿入した場合に前記関連した保持要素により前記関連した隅部領域の架橋を取り外した後、または前記架橋を維持しながら前記関連した保持要素を伸ばすことにより、前記可撓性の縁部を移動して離すことができ、特に反転して離す、折り畳んで離す、かつ／または丸めて離すことができるので、前記携帯機器の前記裏側の一部は前記可撓性の縁部を移動して離した状態でアクセスできる、特に視覚的にアクセスできることを特徴とする、請求項１〜８のいずれか１項に記載の保護カバー。
【請求項１０】
前記保護要素は、外側および／または内側に付属品要素を収容するための１つまたは複数の付属品保持要素（複数可）（９）を、特に１つまたは複数の弾性のタブ（複数可）またはストラップ（複数可）を備える、請求項１〜９のいずれか１項に記載の保護カバー。
【発明の詳細な説明】
【技術分野】
【０００１】
本発明は保護装置の分野の発明であり、詳細には携帯電話およびタブレットＰＣなどの携帯機器用保護カバーの分野の発明である。
【背景技術】
【０００２】
携帯電話、例えばスマートフォンまたはタブレットコンピュータなどの携帯機器は、多くの人々がほぼ絶え間なく持ち運び使用する日用品である。したがって対応するバッグまたはカバーを使用してこれらの比較的高価な装置を保護することが必要とされ、装置の可能なすべての機能にアクセスしやすく使いやすいことが保証されるべきである。さらにおしゃれで美的な要件が非常に増加しており、それが適切な材料の選択、携帯機器の取付け方などの機能面および技術面に影響を与えている。
【発明の概要】
【発明が解決しようとする課題】
【０００３】
本発明の一般的課題は、携帯機器用保護カバーに課される要件をほとんどまたは完全に満たすカバーまたは保護カバーを提供することである。この保護ケースは公知のカバーの問題を一部または完全に回避するべきである。この課題は本特許の独立請求項の主題により一般的な形で達成される。他の例示的実施形態ならびに特に好都合な実施形態は、本特許の従属請求項ならびに本文書の開示全体から明らかになる。
【課題を解決するための手段】
【０００４】
本発明による携帯機器用、特に携帯電話またはタブレットコンピュータ用の保護ケースは保護要素を備え、保護要素は実質的に平坦な形状を特色とし、また保護要素は携帯機器の輪郭を超えて突出する輪郭を特色とする。保護要素は可撓性の縁部を特色とする。保護カバーは弾性保持要素、特にゴム材料から作成された弾性保持要素をさらに備え、それによってそれぞれの弾性保持要素は実質的に線形形状を有する。保持要素は、携帯機器が保護カバーに挿入された状態で、保持要素が携帯機器の隅部領域に斜めに架かる方法で保護要素の接触側面上に配置され、したがって携帯機器を携帯機器の裏側で接触側面に固定する。さらに保持要素は、携帯機器および特にそのユーザインターフェース、例えば表示画面および／またはタッチスクリーンなどが挿入された状態で、携帯機器および特にそのユーザインターフェース、例えば表示画面および／またはタッチスクリーンなどにアクセスでき、好ましくは完全に使用できる方法で携帯機器に一致する。
【０００５】
携帯電話、特にスマートフォンまたはタブレットコンピュータの代わりに、カバーもＭＰ３プレーヤー、口述録音機などの他の携帯機器を収納するように設計することができる。携帯機器は手持式が好ましく、これも「携帯機器」と呼ばれる。
【０００６】
保護要素の輪郭は携帯機器の輪郭を超えて突出するという事実により、また携帯機器を隅部領域に固定することにより、本発明による保護カバーは、使用または操作のために携帯機器を保護カバーから取り出すことなく、異なる大きさおよび様々な輪郭の携帯機器、例えば携帯電話を有利に使用することができる。
【０００７】
実施形態に依存して、可撓性の縁部は縁部領域に必ずしも封じ込める必要はないが、例えば輪郭表面の３分の１または２分の１に跨って延在することが可能である。可撓性の縁部は、特に接触面の一部を形成することができ、その上に保護カバーの中に挿入された携帯機器の裏側を置く。さらに保護要素全体は柔軟であるかまたは可撓性であることが可能である。
【０００８】
保護カバーおよび特にその保護要素も「カバー」と呼ばれる。
【０００９】
用語「内側」および「外側」は本文書では挿入に関して使用され、また必要に応じて閉じたカバーに関して使用される。挿入された携帯機器の場合、内表面は携帯機器に面し、例えばこれと接触する一方で、外表面は携帯機器の反対側を向く。
【００１０】
また保持要素はそれらの全体も「ホルダー」と表す。ホルダーは弾性帯、コードまたは糸、例えば輪ゴム、または弾性テープなどから構成されることが可能である。
【００１１】
可撓性は「柔軟」とも呼ばれ、可撓性材料はしたがって「柔軟な材料」と呼ばれる。縁部に加えて、保護要素全体は特に可撓性または柔軟であることが可能である。用語「柔軟」または「可撓性」は、小さい力、特に人が簡単に加えた力で変形が可能であるように本明細書では理解されるべきである。このような外力の行為なしに、すなわち基本的に重力のみの影響下で、恣意的にある程度の寸法安定性が存在することが可能である。
【００１２】
またこの概念における「可撓性」または「柔軟」は、特に可撓性材料または柔軟な材料を、その構造および／または光学を破壊することなく、大きい力なしに、また特にヒンジなどの技術的ツールなしに手で折り曲げる、折り畳む、かつ／または丸めることができることも意味する。
【００１３】
一実施形態では、保護カバーは４つの保持要素を備え、４つの保持要素は携帯機器の４つの隅部領域に斜めに架かるために長方形の輪郭に配置される。
【００１４】
携帯機器は、通常の携帯電話、スマートフォンおよびタブレットＰＣの場合のように、通常その厚さまたは高さに比べて比較的大きい底部領域または比較的大きい輪郭の形を有する。携帯機器をしっかりと固定するために４つの保持要素のうちの３つで充分であることが好ましい。
【００１５】
一実施形態では、保護要素は正面部および背面部を備え、正面部および背面部を特に折り返し、折り畳み、かつ／または丸めることにより互いに対して動かすことができる。保護カバーが閉じた構成において、正面部および背面部は重ね合わせられ、携帯機器を挿入した状態で正面部と背面部との間にサンドイッチのように携帯機器を取り囲む。それによって接触面は背面部の内側によって形成される。その動きは特に線に沿って行うことができる。次いで可撓性の縁部帯域は背面部の一部または背面部全体を形成することができる。さらに正面部は完全にまたは部分的に可撓性であってもよい。
【００１６】
正面部および背面部を備えるこのような実施形態では、輪郭は少なくとも背面部を超えて突出することが有利であり、通常正面部および背面部の輪郭はそれぞれ携帯機器の輪郭を超えて突出する。
【００１７】
保護カバーの形状、および特に輪郭は好ましくは携帯機器の輪郭に適合される。通常、保護カバーは閉じた構成と同様に開いた構成においても概して長方形の輪郭を有する。特に折り返し、折り畳み、かつ／または丸める動きは長い側面または狭い側面に沿って実行することができる。
【００１８】
一実施形態では、正面部は閉じた構成から背面部に対して少なくとも約３６０度動くことができるので、正面部および背面部は少なくとも実質的に互いの上に平らに置かれる。またこの相対位置は「背中合わせ」位置とも呼ばれる。
【００１９】
一実施形態では、保護カバーは保護カバーを閉じるためのロック装置、特にボタン、スナップファスナー、フック、紐、弾性帯、面ファスナーテープ、ジッパー、および／または磁石を備えたロック装置を備える。
【００２０】
一実施形態では、保護要素は外層および内層の形で一方が他方の上にある２つの層を特色とし、外層および内層の少なくとも１つは可撓性の柔軟な材料、特にティッシュ、布、織物、または革から構成される。この場合、特に層の縁部帯域は可撓性である。
【００２１】
一実施形態では、保護要素は外層と内層との間に、特に挿入され、組み込まれ、接着され、縫い付けられ、またはアイロンで付けられて配置された、寸法安定性のある中間層を備える。寸法安定性のある中間層は寸法安定性を獲得するため、または強度を得るために使用される。寸法安定性のある中間層の安定性および剛性が非常に大きいので、上述したように手で容易に変形できない場合は、寸法安定性のある中間層は外層および内層の表面全体に跨って延在しないことが好ましく、むしろ少なくとも可撓性の縁部またはより大きい領域も省く。しかし寸法安定性のある中間層が依然として手で容易に変形できるために充分に可撓性である場合、寸法安定性のある中間層は実質的に全体、または全領域に跨って延在することができる。恣意的な寸法安定性のある中間層は、例えば接着芯地、プラスチック、段ボール、金属またはこれらの材料、および／もしくは同様の材料の組合せから構成することができる。
【００２２】
一実施形態では、保護要素は可撓性の中間層を備え、可撓性の中間層は特にフリース、綿、または発泡体から構成され、可撓性の中間層は外層と内層との間に、特に挿入され、組み込まれ、接着され、縫い付けられ、またはアイロンで付けられて配置される。恣意的な可撓性の中間層は特に詰め物のために使用されるが、材料および寸法に依存して寸法安定性のためにも使用することができる。
【００２３】
一実施形態では、可撓性の縁部は携帯機器の保持要素および隅部領域に割り当てられる。携帯機器を挿入した状態で関連した隅部領域の関連した保持要素の架橋を取り外した後、または架橋を維持しながら関連した保持要素を伸ばすことにより、可撓性の縁部を移動して離す、特に反転して離す、折り畳んで離す、かつ／または丸めて離すことができるので、携帯機器の裏側の一部に可撓性の縁部を移動した状態でアクセスできる、特に視覚的にアクセスできる。
【００２４】
このような実施形態により、携帯機器、すなわちスマートフォンは携帯機器内に存在するカメラを使用するために保護カバーから携帯機器を取り除く必要がなく、またレンズの光アクセスを確実にするためにいかなる孔または切取りなどの必要性なしに、カメラを使用できる。輪郭に関して、レンズは通常携帯機器の隅部付近に配置される。したがって例えば４つの保持要素の１つのみ、すなわちレンズを備えた隅部に架かる保持要素が使用のために取り外される。カメラを使用しない場合、保護カバーはレンズの機械的保護を確保する。この場合、縁部はレンズを覆う保護要素の縁部から届くために充分な大きさである。可撓性の縁部は、例えば三角形の輪郭を有し、保護要素の隅部領域を構成する。関連した保持要素を取り外した後、保持要素を例えば斜めに枢動できるか、または後方に折り畳むことができ、したがってレンズを露出する。携帯機器の裏側のレンズの特定箇所に依存して、保持要素を取り外すことなく隅部領域を移動して離すこともでき、保持要素はそれに応じて伸長される。
【００２５】
さらに別法として恣意的に様々な保持要素を取り外し、次いで様々な縁部、例えば左隅部領域あるいは右隅部領域を移動して離すことができる。さらに恣意的に２つ以上の保持要素、例えば２つの隣接した保持要素を取り外し、次いで保護要素のより大きい領域を、例えばその縁部の１つに平行に移動して離すことができる。携帯機器を確実に固定し保持するために、必要に応じて携帯機器に架ける、例えば横に架けて固定する弾性の横帯を提供することができる。
【００２６】
一実施形態では、保護要素は付属品要素を収容するために外側および／または内側に１つまたは複数の付属品保持要素（複数可）、特に１つまたは複数の弾性タブ（複数可）またはストラップ（複数可）を備える。
【００２７】
付属品保持要素（複数可）は、特に円筒形付属品要素を挿入された携帯機器の１つの縁部に平行に収容するように設計されることが可能である。この手法で、携帯機器を挿入した状態で保護カバーの傾斜した、すなわち講義台状位置に対して直立する要素として付属品要素を使用することもできる。したがって付属品保持要素（複数可）は、一方では付属品要素を小さく収納でき、他方では付属品要素を介してテーブルなどの水平面上に傾斜した、すなわち講義台状位置に携帯機器を据え付けることができる、二重機能を遂行する。付属品要素は例えば口紅またはリップクリームであることが可能であり、このようにして小さく便利に収納される。
【００２８】
他の態様および恣意的な実施形態は以下の通りである。すなわち携帯機器、例えば携帯電話、タブレット、およびＭＰ３などのためのカバー（１）が開示され、携帯機器用ホルダーは弾性帯または紐、例えばゴム輪、または伸縮帯などから作成され、物体はこれらによって固定されることを特徴とする。物体は特に携帯機器であることが可能である。
【００２９】
一実施形態では、カバーは、カバーが外層および内層の２つの重ね合わせた層から構成されることを特徴とする。
【００３０】
一実施形態では、カバーは、外層がティッシュ、布、織物、革または他の柔軟な材料から構成されることを特徴とする。
【００３１】
一実施形態では、カバーは、内層がティッシュ、布、織物、革または他の柔軟な材料から構成されることを特徴とする。
【００３２】
一実施形態では、カバーは、安定した寸法化のため、または強度を得るために別の中間層が挿入され、組み込まれ、接着され、アイロンで付けられ、または類似して含まれることを特徴とする。
【００３３】
一実施形態では、カバーは、柔軟な充填材料、例えばフリース、綿、または発泡体などから構成されるさらなる中間層が挿入され、組み込まれ、接着され、アイロンで付けられ、または類似して含まれることを特徴とする。
【００３４】
一実施形態では、カバーは、弾性帯または紐が固定するために携帯機器の隅部に跨って斜めに配置されることを特徴とする。
【００３５】
一実施形態では、カバーは、ホルダーが隅部に跨って斜めに置かれ、端部において別の方法で接着され、縫合され、かつ／または固定されることを特徴とする。
【００３６】
一実施形態では、カバーは、クレジットカードなどのための１つまたは複数の区画がカバーの内側または外側に組み込まれることを特徴とする。
【００３７】
一実施形態では、カバーは、１つまたは複数のタブがカバーの外側もしくは内側に例えばキーホルダー、スナップフックのため、または口紅などの物体を留めるために組み込まれることを特徴とする。スナップフックは、特に携帯機器を挿入した状態で保護カバーを衣服の一部、例えばズボンのベルト通しに固定するために使用できる。
【００３８】
一実施形態では、カバーは、１つまたは複数の区画を外側または内側に組み込み、これらをボタン、スナップファスナー、フック、面ファスナー、またはジッパーなどで閉じることができることを特徴とする。
【００３９】
一実施形態では、カバーは、閉じたカバーの前側を開き、３６０度折り畳むことができるので、カバーの前側はカバーの裏側に背中合わせに置かれることを特徴とする。
【００４０】
一実施形態では、カバーは、ホルダーの端部がリボンなどによって固定される、または覆われることを特徴とする。
【００４１】
一実施形態では、カバーは、カバーの縁部がテープ、縁かがり、または飾り縫いなどで囲まれることを特徴とする。
【００４２】
一実施形態では、カバーは、最内層を備えた最外層が縁部で反転されることを特徴とする。
【００４３】
一実施形態では、カバーは、カバーの接触面が携帯機器より大きく、したがってホルダーの表面が包囲されることを特徴とする。この場合接触面の輪郭はその輪郭を表す。
【００４４】
一実施形態では、カバーは、閉じたカバーの前側および閉じたカバーの裏側がボタン、スナップファスナー、フック、紐、弾性帯、面ファスナー、ジッパーまたは磁石などを使用することによって閉じられることを特徴とする。
【００４５】
例示的実施形態
本発明によるカバーまたは保護カバーの例示的実施形態について、さらに図を参照して以下に詳細に述べる。
【図面の簡単な説明】
【００４６】
【図１】ａ−ｂ。閉じた構成の正面図および背面図における、一実施形態による保護カバーまたはカバーを概略的に示す図である。
【図２】ａ−ｂ。開いた構成の正面図および背面図における、一実施形態による保護カバーまたはカバーを概略的に示す図である。
【図３】同じ実施形態の保護要素の例示的内部構造を概略的に示す図である。
【図４ａ】ａ−ｂ。同じ実施形態の開いた構造と閉じた構造との間の変化を概略的に示す図である。
【図５】ａ−ｂ。閉じた構成の正面図および背面図における、別の実施形態による保護カバーまたはカバーを概略的に示す図である。
【図６】ａ−ｂ。開いた構成の正面図および背面図における、別の実施形態による保護カバーまたはカバーを概略的に示す図である。
【図７】ａ−ｂ。その他の実施形態の開いた構成と閉じた構成との間の変化を概略的に示す図である。
【図８】図１ａおよび以下による実施形態による、保護カバーの適用を概略的に示す図である。
【図９】図５ａおよび以下によるその他の実施形態による、保護カバーの適用を概略的に示す図である。
【発明を実施するための形態】
【００４７】
図１ａ、１ｂは、閉じた構成または閉じた状態の正面図および背面図における、一実施形態による保護カバーまたはカバーを概略的に示す。保護カバーは、基本的に同一の大きさを有し、特に基本的に同一の輪郭を有する、正面部１５および背面部１４を備える。示された閉じた状態では、正面部１５および背面部１４は重ね合わされ、基本的に一致している。保護カバーの開閉、すなわち開いた構成と閉じた構成との間の変化は、ここでは狭い側面（より短い側面）に沿って行われる。また示されたロック装置は、例えば押しボタンを備えたしっかりと縫い付けられたベルトの形の恣意的なロック装置１６も備える。
【００４８】
図２ａは、閉じた構成と反対に背面部１４が１８０度だけ平坦に反転した外観図において、反転して開いた構成における図１、１ｂの保護カバーを示す。
【００４９】
保護カバーの平坦な保護要素は周囲ベルト１２によって包囲され、加えてまたは別法として飾り縫いおよび／または縁かがりが存在することが可能である。この図では、例えばきめの細かい革、布、織物または他の織物材料から構成される、保護要素の外層３が見える。
【００５０】
さらに例えば１つまたは複数の区画１０は、入場券、クレジットカード、紙幣、硬貨などの基本的に平坦な物体を保持するために、背面部１４に組み込まれる。例えばロック装置１６の領域内で、タブまたはループ９は他の物体もしくは付属品要素および／または口紅などの用品を収容する、または取り付けるためにさらに配置される。同様に例えばスナップフックが追加としてまたは別法として存在することが可能である。タブまたはストラップ９は、特に口紅などの対応する円柱形物体をそれが保護カバーの１つの縁部に平行に整列されるように収容することができ、したがって保護カバー内に受領された携帯機器を斜めに位置付けるために使用されることが可能である。
【００５１】
図２ｂは図２ａに対応し、その違いは図２ｂが図２ａに対応する内部図を示すことである。
【００５２】
携帯機器用の保持要素は弾性の紐、コードまたはベルト２によって形成され、弾性の紐、コードまたはベルト２は正面部の隅部領域に斜めに架かり、したがって平面図で一緒に菱形形状を特色とする。代替実施形態では、保持要素は例えばさらに携帯機器に六角形または八角形の形状を一緒に特色とすることもできる。弾性の紐、帯、またはコード２は保護要素に、例えば接着するかつ／または縫い付けることによって接合されるべきである。それによって保護要素または保護カバーの全接触領域または輪郭は、携帯機器の全接触領域または輪郭より大きいので、周囲全体が突出する。突出は全体または一部が帯１２から構成されることが可能である。
【００５３】
図２ｂの例示では、保護要素の内層４が見えており、その上面は挿入された携帯機器を置く接触面を形成する。
【００５４】
保持要素２の端部は固定され、恣意的なリボン１１で覆われる。
【００５５】
さらに正面部の内側には、入場券、クレジットカード、紙幣などの基本的に平坦な物体を収容するための恣意的な区画１０と共に設計された、１つまたは複数の区画８が恣意的に組み込まれる。
【００５６】
さらに恣意的な弾性の横帯２０が内層４（接触面）上に提供され、横帯２０は接触面に斜めに架かり、その機能については以下にさらに説明する。
【００５７】
図３は、保護カバー、または特に基本的に一致した層内の挟持物として保護カバーの保護要素の可能な構造を概略的に例として示す。
【００５８】
外層３および内層４は先に示したように可撓性の材料または柔軟な材料から作成される。外層３と内層４との間に（第１の）中間層５および（第２の）中間層６が配置される。（第１の）中間層６は接着芯地または例えばプラスチック箔から構成され、保護カバーの一定の寸法安定性を確保する。（第２の）中間層６は柔軟または可撓性であり、フリース、綿、または発泡体などから構成される。（第２の）中間層６は可撓性であるかまたは厚み方向に曲げやすいことが好ましく、主に緩衝材として使用される。示された実施形態では、（第１の）中間層５は全領域に跨って延在する。（第１の）中間層５はその剛性を、上述および以下のように確実に手で容易に変形するような方法で寸法化される。
【００５９】
図４ａおよび図４ｂは、保護カバーの開いた構成と閉じた構成との間の変化を正面部１５を３６０度折り畳むことによって示すので、開いたまたは折り畳んで開いた構成（図４ｂ）では、正面部１５および背面部１４は互いの上に「背中合わせ」に置かれる。
【００６０】
携帯機器のカメラに関する有利な使用は、図２ｂおよび４ｂからさらに明らかになる。カメラのレンズは携帯機器の隅部の領域内、例えば図４ｂの左上隅部に配置されると考えられる。レンズを使用するために露出し、したがってレンズに視覚的にアクセス可能にさせるために、指定された保持要素２（この例では左上の保持要素）のみが取り外されなければならず、携帯機器の対応する隅部の架橋が隆起されなければならない。次いで背面部１４の対応する隅部領域は手で容易に折り曲げられ、したがって保護カバーから取り除くことなくレンズを露出する（図８も参照されたい）。但し代替実施形態において図３による（第１の）中間層５がこのために過剰に固いならば、対応する隅部領域を（第１の）中間層５から切り離すことができる。上に示されたように、レンズの配置に依存して、弾性伸びを使用して関連した保持要素を取り外すことなくレンズに達することも可能である。
【００６１】
図５ａ、５ｂ、６ａ、６ｂ、ならびに７ａ、７ｂは、図１ａ、１ｂ、２ａ、２ｂ、ならびに４ａ、４ｂに対応する別の実施形態の図を示し、開閉は保護要素の長い側面（より長い側面）の上で行われる。
【００６２】
上に示された背面部の隅部を移動して離すことは、光学レンズが隅部に配置された携帯機器に関して特に適切である。他の携帯機器、例えば一部のタブレットコンピュータならびに一部の携帯電話では、対照的にレンズは１つの横縁部、例えば長方形の輪郭の短い横縁部に基づいて中央に配置される。ここではレンズは使用するために隅部を斜めに丸めることによって露出することができない。この場合、追加の弾性帯２０を提供することができ、その機能が以下で図８を参照して詳述される。
【００６３】
横帯２０を基本的に保持要素２と同じ材料から構成することができ、特に同様の機械的特性を有することができるが、より広いことが好ましい。携帯機器を挿入した場合、横帯２０は（携帯機器のカメラを使用しない場合）通常携帯機器の裏側と接触領域との間に配置される。使用するレンズを露出するために、２つの隣接した隅部の架橋（図８の例では狭い側面上の右上）が取り外される。続いて横帯２０は一時的に携帯機器の上に掛けられるので、横帯２０は携帯機器に横に架かる。２つの隣接した隅部の架橋を取り外した後、背面部のより大きい部分領域を移動して離す、例えば折り曲げて離す、または丸めて離すことができる。２つの残っている保持要素２（図８の例では狭い側面上の左下）はカメラまたはレンズを横帯２０と一緒に使用する間、確実に保護カバー内に保持する、または固定する。もはやレンズが必要ではない場合、携帯機器を横帯によって固定することを取り消すことができ、保持要素２を用いて単独で実行できる。
【００６４】
図９は保護カバーのその他の実施形態に対する図８に対応する図を示す。
【図１ａ】
2016538784.tif 000003
【図１ｂ】
2016538784.tif 000004
【図２ａ】
2016538784.tif 000005
【図２ｂ】
2016538784.tif 000006
【図３】
2016538784.tif 000007
【図４ａ】
2016538784.tif 000008
【図４ｂ】
2016538784.tif 000009
【図５ａ】
2016538784.tif 000010
【図５ｂ】
2016538784.tif 000011
【図６ａ】
2016538784.tif 000012
【図６ｂ】
2016538784.tif 000013
【図７ａ】
2016538784.tif 000014
【図７ｂ】
2016538784.tif 000015
【図８】
2016538784.tif 000016
【図９】
2016538784.tif 000017
【国際調査報告】
2016538784.tif 000018
2016538784.tif 000019
2016538784.tif 000020
2016538784.tif 000021
2016538784.tif 000022
2016538784.tif 000023